(57)【要約】【課題】  簡単な処理により背景部分を他の画像に置き換えることができるＴＶ電話装置を得る。【解決手段】  被写体２の人物は、略全面が単一色の背景スクリーン１を装着する。この状態の被写体３０１をカメラ３０２で撮影する。撮影画像はキー色の透明化処理機能部３０３において、背景スクリーン１の単一色をキー色として撮影画像におけるキー色領域(背景スクリーン１の領域)を透明化処理して背景を透明にする。背景画像保存装置３０５に保存された背景用画像を画像再生機能部３０６で再生した背景用画像と、前記背景が透明化された画像とを画像合成処理機能部３０４で合成する。合成された画像は、ＴＶ電話処理機能部３０７及び通信処理機能部３０９でそれぞれ所定の処理を施された後、アンテナ３１０から送信される。【選択図】  図１
2006270887.tif 000002
【特許請求の範囲】
【請求項１】
撮影手段と、
前記撮影手段が撮影した背景の略全面が単一色の撮影画像を前記単一色をキー色として透明化処理する透明化処理手段と、
前記透明化処理された画像を処理してアンテナから送信する通信手段とを有することを特徴とするＴＶ電話装置。
【請求項２】
背景用画像を保持する保持手段と、
前記透明化処理された画像の透明部分に前記保持された背景用画像を合成して前記通信手段に供給する画像合成手段とを有することを特徴とするＴＶ電話装置。
【請求項３】
前記キー色が複数色あり、その１つを選択するキー色選択手段を有することを特徴とする請求項１又は２記載のＴＶ電話装置。
【請求項４】
前記保持手段は、複数の前記背景用画像を保持し、その１つを選択する背景選択手段を有することを特徴とする請求項１から３のいずれか１項に記載のＴＶ電話装置。
【請求項５】
前記背景の略全面が単一色の撮影画像は、略全面が前記単一色の背景スクリーンを背景とする被写体を撮影したものであることを特徴とする請求項１から４のいずれか１項に記載のＴＶ電話装置。
【請求項６】
撮影処理と、
前記撮影処理で撮影された背景の略全面が単一色の撮影画像を前記単一色をキー色として透明化する透明化処理と、
前記透明化処理された画像を処理してアンテナから送信する通信処理とをコンピュータに実行させるプログラム。
【請求項７】
前記透明化処理された画像の透明部分に予め用意された背景用画像を合成する合成処理と、
前記合成画像をアンテナから送信する通信処理とをコンピュータに実行させる請求項６記載のプログラム。
【請求項８】
複数の前記キー色からその１つを選択するキー色選択処理をコンピュータに実行させる請求項６又は７記載のプログラム。
【請求項９】
複数の前記背景用画像からその１つを選択する背景選択処理をコンピュータに実行させる請求項６から８のいずれか１項に記載のプログラム。
【発明の詳細な説明】
【技術分野】
【０００１】
本発明は、ＴＶ電話装置及びＴＶ電話装置で用いられるプログラムに関するものである。
【背景技術】
【０００２】
ＴＶ携帯電話の急速な発展により、携帯電話でＴＶ電話が簡単に行えるようになった。しかしＴＶ携帯電話のようなＴＶ電話装置は、通話者が装置に設けられたカメラに向かって通話するので、当然ながら通話者の背景も撮影され、これを通話相手が見ることになる。このことは意図しない場面、例えば雑然とした部屋を見られたくない状況等においてＴＶ電話をする場面が増えたことを意味する。
【０００３】
従来よりＴＶ電話をする際に相手に背景を見られたくない場合に、予め用意された付随画像を撮影画像に上書きするようにした技術が提案されている（例えば、特許文献１参照）。また、撮影画像から被写体領域と背景領域とを分離し、背景領域を透過処理するようにした技術が提案されている（例えば、特許文献２参照）。また従来より折り畳み可能な簡便な写真スタジオが提案されている（例えば、特許文献３参照）。
【特許文献１】特開２０００−１７５１６６号公報
【特許文献２】特開２００５−５９６０号公報
【特許文献３】特開２００４−１４５０２３号公報
【発明の開示】
【発明が解決しようとする課題】
【０００４】
しかしながら、特許文献１に開示されるものは、背景が必ずしも完全に消されるとは限らないという問題があった。また、特許文献２の技術は被写体領域を抽出するのに被写体が例えば人物の場合は、目、鼻、口等の顔の特徴部分を抽出するという複雑な処理を行う必要があった。また、特許文献３は、背景部分を隠すために用いるということは始めから想定されていないものであった。
本発明は、簡単な処理により背景部分を他の画像に置き換えることができるようにすることを課題とする。
【課題を解決するための手段】
【０００５】
請求項１記載の発明は、撮影手段と、前記撮影手段が撮影した背景の略全面が単一色の撮影画像を前記単一色をキー色として透明化処理する透明化処理手段と、前記透明化処理された画像を処理してアンテナから送信する通信手段とを有することを特徴とする。
【０００６】
請求項２記載の発明は、背景用画像を保持する保持手段と、前記透明化処理された画像の透明部分に前記保持された背景用画像を合成して前記通信手段に供給する画像合成手段とを有することを特徴とする。
【０００７】
請求項３記載の発明は、請求項１又は２記載の発明において、前記キー色が複数色あり、その１つを選択するキー色選択手段を有することを特徴とする。
【０００８】
請求項４記載の発明は、請求項１から３のいずれか１項に記載の発明において、前記保持手段は、複数の前記背景用画像を保持し、その１つを選択する背景選択手段を有することを特徴とする。
【０００９】
請求項５記載の発明は、請求項１から４のいずれか１項に記載の発明において、前記背景の略全面が単一色の撮影画像は、略全面が前記単一色の背景スクリーンを背景とする被写体を撮影したものであることを特徴とする。
【００１０】
請求項６記載の発明は、撮影処理と、前記撮影処理で撮影された背景の略全面が単一色の撮影画像を前記単一色をキー色として透明化する透明化処理と、前記透明化処理された画像を処理してアンテナから送信する通信処理とをコンピュータに実行させるプログラムである。
【００１１】
請求項７記載の発明は、前記透明化処理された画像の透明部分に予め用意された背景用画像を合成する合成処理と、前記合成画像をアンテナから送信する通信処理とをコンピュータに実行させる請求項６記載のプログラムである。
【００１２】
請求項８記載の発明は、複数の前記キー色からその１つを選択するキー色選択処理をコンピュータに実行させる請求項６又は７記載のプログラムである。
【００１３】
請求項９記載の発明は、複数の前記背景用画像からその１つを選択する背景選択処理をコンピュータに実行させる請求項６から８のいずれか１項に記載のプログラムである。
【発明の効果】
【００１４】
請求項１，６の発明によれば、撮影画像の背景を透明化処理した画像を送信するので、背景を見られたくないように場合にも、気にせずにＴＶ電話装置で撮影しながら通話を行うことができる。
請求項２，７の発明によれば、撮影画像の透明化した部分を背景用画像に置き換えるので、通話相手に自然な画像を送信することができる。
【００１５】
請求項３，８の発明によれば、撮影画像の背景の色に合わせた透明化処理を行うことができる。
請求項４，９の発明によれば、背景を好みの画像に置き換えた画像を送信することができる。
請求項５の発明によれば、単一色の背景スクリーンを用いて撮影を行うことにより、実際の背景を簡単に消して他の画像に置き換えることができる。
【発明を実施するための最良の形態】
【００１６】
以下、本発明の実施形態を図面と共に説明する。
図２（ａ）はＴＶ電話撮影時に使用される背景スクリーン１を示し、図２（ｂ）は被写体２を示し、ここでは人物とする。背景スクリーン１は、ＴＶ電話を利用しない場合には、折り畳み式の傘のように畳んで袋等に収納され、ＴＶ電話通話時に背景を見せたくないような場合に展開して用いる。背景スクリーン１の構成としては、折り畳み可能なフレームにスクリーンを張って用いるような簡便なものでよい。また、この背景スクリーン１は、略全面が単一色になっている。
【００１７】
図３はＴＶ電話撮影時の被写体２の様子を示すもので、被写体２の人物は、展開された背景スクリーン１を身体に装着している。
【００１８】
図１は本発明の実施形態によるＴＶ電話装置の画像処理に関する部分の構成を示すブロック図である。
図１において、被写体３０１（図２、図３の被写体２が背景スクリーン１を装着した状態の被写体）がカメラ３０２で撮影される。この撮影画像信号はキー色の透明化処理機能部３０３に送られる。キー色の透明化処理機能部３０３においては、背景スクリーン１の単一色をキー色として、被写体３０１の撮影画像におけるキー色領域(背景スクリーン１の領域)を透明化処理して背景を透明にする。
【００１９】
背景画像保存装置３０５には、任意の背景用画像が１つ以上保存されており、この背景用画像の１つを操作部３１１により選択して画像再生機能部３０６で再生する。画像合成処理機能部３０４は、上記再生された背景用画像と、前記背景が透明化された画像とを合成する。合成された画像は、ＴＶ電話処理機能部３０７においてＴＶ電話通信に必要な画像圧縮等の処理を施される。処理された合成画像は、通信処理機能部３０９で変調等の処理を施された後、アンテナ３１０から送信される。また、表示装置３０８では、自画像(上記合成画像又は原画像でもよい)及び受信したＴＶ電話画像を表示する。また、ＣＰＵ３１２は各部を統括制御する。ＲＯＭ１３はＣＰＵ３１２が実行するプログラムが格納されている。
【００２０】
尚、本実施形態では、撮影画像の背景部分を他の背景用画像に置き換えているが、前記背景が透明化された画像を前記キー色と違う色に置き換えるようにしてもよい。また、前記背景が透明化された画像をそのまま送信してもよい。
また、キー色を複数色用意しておき、使用する背景スクリーン１の色に合わせてユーザが操作部３１１から選択できるようにしてもよい。
【００２１】
本実施形態によれば、略全面が背景スクリーンを使用することにより、撮影画像の背景を消して他の画像と簡単に合成することができ、ＴＶ電話利用者は、ＴＶ電話をする場面において背景の状態を意識しないで撮影しながら通話をすることができる。
【００２２】
尚、図３に示す処理を、ＣＰＵ３１２が実行するためのＲＯＭ３１３に格納されたプログラムは本発明によるプログラムを構成する。このプログラムを記録する記録媒体としては、半導体記憶装置や光学的及び／又は磁気的な記憶装置等を用いることができる。このようなプログラム及び記録媒体を、前述した実施の形態とは異なる構成のシステム等で用い、そこのＣＰＵで上記プログラムを実行させることにより、本発明と実質的に同じ効果を得ることができる。
【図面の簡単な説明】
【００２３】
【図１】本発明の実施形態によるＴＶ電話装置の画像処理に関する部分の構成を示すブロック図である。
【図２】背景スクリーンと被写体を示す構成図である。
【図３】被写体の人物が背景スクリーンを装着した状態を示す構成図である。
【符号の説明】
【００２４】
１    背景スクリーン
２    被写体
３０１    背景スクリーンと人物被写体からなる被写体
３０２    カメラ
３０３    キー色の透明化処理機能部
３０４    画像合成処理機能部
３０５    背景画像保存装置
３０６    画像再生機能部
３０７    ＴＶ電話処理機能部
３０９    通信処理機能部
３１０    アンテナ
３１１    操作部
３１２    ＣＰＵ
３１３    ＲＯＭ
【図１】
2006270887.tif 000003
【図２】
2006270887.tif 000004
【図３】
2006270887.tif 000005